(57)【特許請求の範囲】
【請求項１】
利用者を移送する移送部に対して利用者が乗り降りするエリア、又は、利用者が移送部に乗るエリア、或いは、利用者が移送部から降りるエリアに設置されるプレート状のベースであって、前記エリアに設置された状態で上側に向く第一面と該第一面の反対側の第二面とを第一方向に有するとともに、前記エリアに設置された状態で移送部側に配置される第一端及び該第一端の反対側の第二端を第一方向と直交する第二方向に有するベースと、前記ベースの前記第一面の全域又は略全域に配置される滑り止め部とを備え、
前記滑り止め部は、前記ベースの第一面上に配置された複数の凸部であって、上側を向き且つ平面視形状が第一方向及び第二方向のそれぞれと直交する第三方向に長径を有する楕円形の上端面をそれぞれが有する複数の凸部を有し、
前記ベースは、第二方向において複数の領域に区画され、
前記複数の領域のそれぞれにおいて、第三方向に間隔をあけて並ぶ凸部の列が第二方向に複数列配置され、
第二方向に隣り合う領域では、第二端側の領域にある前記凸部の上端面の面積が第一端側の領域にある前記凸部の上端面の面積より小さく、且つ、前記第二端側の領域における単位領域内にある複数の前記凸部の上端面の総面積が、前記第一端側の領域における単位領域内にある複数の前記凸部の上端面の総面積より小さく、
前記滑り止め部の摩擦抵抗が前記凸部の上端面と前記ベース上を通過する人の靴底との接触面積の大きさに対応することで、前記第二方向に隣り合う領域において、前記第二端側の領域上にある滑り止め部の摩擦抵抗が前記第一端側にある領域上にある滑り止め部の摩擦抵抗よりも小さいことを特徴とするフロアプレート。
【請求項２】
前記滑り止め部は、前記ベースの第一面に貼り合わされるシート状の基部をさらに備え、前記複数の凸部は、前記基部と一体的に成形されている請求項１に記載のフロアプレート。
【発明の詳細な説明】
【技術分野】
【０００１】
本発明は、利用者を移送するエスカレータのステップやエレベータのかご等の移送部に利用者が乗り降りするエリア、又は、利用者が移送部に乗るエリア、或いは、利用者が移送部から降りるエリアに設置されるフロアプレートに関する。
【背景技術】
【０００２】
従来、エスカレータのステップやエレベータのかご等の移送部に対して利用者が乗り降りするエリア、又は、利用者が移送部に乗るエリア、或いは、利用者が移送部から降りるエリアには、フロアプレートが設置されることがある（例えば、特許文献１参照）。
【０００３】
フロアプレートは、第一面と該第一面の反対側の第二面とを有する板状のベースと、ベースの第一面から突出した複数の凸部とを備える。
【０００４】
この種のフロアプレートにおいて、各凸部のべースからの突出量は、同一に設定される。そして、複数の凸部は、ベースの第一面の全域又は略全域に対して均等に配置される。
【０００５】
上記フロアプレートは、移送部に隣接するエリアに対し、ベースの第一面を上側にして設置される。これにより、フロアプレートの複数の凸部は、利用者が移送部に乗るとき或いは利用者が移送部から降りるときの滑り止めとして機能する。
【先行技術文献】
【特許文献】
【０００６】
【特許文献１】特開平１０−１５７９５９号公報
【発明の概要】
【発明が解決しようとする課題】
【０００７】
ところで、フロアプレートは、上述の如く、利用者が移送部を利用するとき（利用者が移送部に乗るとき又は利用者が移送部から降りるとき）の滑り止め機能を有するため、歩行時の抵抗が通常時（例えば、建物の床面や道路等の歩行時）よりも大きくなる。
【０００８】
そのため、フロアプレートを横切って歩行する歩行者（移送部に対して乗り降りする方向と交差する方向に歩行する歩行者）の歩行を妨げる虞がある。
【０００９】
すなわち、従来のフロアプレートの滑り止め機能（複数の凸部）は、歩行者の歩行時における抵抗を変化させてしまい、移送部に対する乗り降りを目的としない歩行者（移送部に隣接するエリアを横切る歩行者）の脚を引っかける（躓く）虞がある。
【００１０】
そこで、本発明は、移送部に隣接するエリアを横切る歩行者の歩行を妨げることを抑制しつつ、利用者が移送部を利用するときの滑り止め機能を確保することのできるフロアプレートを提供することを課題とする。
【課題を解決するための手段】
【００１１】
本発明に係るフロアプレートは、利用者を移送する移送部に対して利用者が乗り降りするエリア、又は、利用者が移送部に乗るエリア、或いは、利用者が移送部から降りるエリアに設置されるプレート状のベースであって、前記エリアに設置された状態で上側に向く第一面と該第一面の反対側の第二面とを第一方向に有するとともに、前記エリアに設置された状態で移送部側に配置される第一端及び該第一端の反対側の第二端を第一方向と直交する第二方向に有するベースと、前記ベースの前記第一面の全域又は略全域に配置される滑り止め部とを備え、前記滑り止め部は、前記ベースの第一面上に配置された複数の凸部であって、上側を向き且つ平面視形状が第一方向及び第二方向のそれぞれと直交する第三方向に長径を有する楕円形の上端面をそれぞれが有する複数の凸部を有し、前記ベースは、第二方向において複数の領域に区画され、前記複数の領域のそれぞれにおいて、第三方向に間隔をあけて並ぶ凸部の列が第二方向に複数列配置され、第二方向に隣り合う領域では、第二端側の領域にある前記凸部の上端面の面積が第一端側の領域にある前記凸部の上端面の面積より小さく、且つ、前記第二端側の領域における単位領域内にある複数の前記凸部の上端面の総面積が、前記第一端側の領域における単位領域内にある複数の前記凸部の上端面の総面積より小さく、前記滑り止め部の摩擦抵抗が前記凸部の上端面と前記ベース上を通過する人の靴底との接触面積の大きさに対応することで、前記第二方向に隣り合う領域において、前記第二端側の領域上にある滑り止め部の摩擦抵抗が前記第一端側にある領域上にある滑り止め部の摩擦抵抗よりも小さいことを特徴とする。
【００１２】
このようにすれば、移送部に利用者が乗り降りするエリア、又は、利用者が移送部に乗るエリア、或いは、利用者が移送部から降りるエリアにベースが設置されることで、ベースの第一面の全域又は略全域に配置された滑り止め部が移送部に並ぶように配置される。従って、移送部に対して乗ったり降りたりする利用者が滑り止め部上を第二方向に歩行可能となり、移送部を利用しない人（移送部に乗ったり降りたりするエリアを横切る人）が滑り止め部上を第一方向及び第二方向と直交する第三方向に歩行可能となる。
【００１３】
そして、ベースにおける第二端側の領域上にある滑り止め部の摩擦抵抗がベースにおける第二端側の領域よりも第一端側にある領域上にある滑り止め部の摩擦抵抗よりも小さいため、上記構成のフロアプレートは、移送部に隣接するエリアを横切る人の歩行を妨げることなく、移送部に対して乗ったり降りたりする利用者に対する安全を確保するための滑り止め効果を発揮する。
【００１４】
具体的に説明すると、移送部に隣接するエリアを横切る人は、比較的、移送部から離れた位置を歩行することが多い。従って、移送部に隣接するエリアを横切る人は、ベースにおける第一端側よりも第二端側の領域上にある滑り止め部（摩擦抵抗の小さな滑り止め部）上を歩行する。従って、歩行者は、歩行時における抵抗の変化を大きく感じることがなく、円滑に歩行することができる。その一方で、移送部に乗ったり降りたりする利用者は、移送部に近い位置に足を置くが、ベースの第一端側の領域上にある滑り止め部の摩擦抵抗は、ベースの第二端側の領域上にある滑り止め部の摩擦抵抗よりも大きいため、足を滑らせることなく、移送部に対して乗ったり降りたりすることができる。
【００１６】
また、上記構成によれば、ベースにおける第二端側の領域上にある滑り止め部の歩行者の靴底に対する接触面積がベースにおける第一端側の領域上にある滑り止め部の歩行者の靴底に対する接触面積よりも小さくなる。滑り止め部（凸部）と靴底との接触面積は、摩擦抵抗の大きさと対応するため、ベースにおける第二端側の領域上にある滑り止め部の摩擦抵抗をベースにおける第二端側の領域よりも第一端側にある領域上にある滑り止め部の摩擦抵抗よりも小さくすることができる。
【００１７】
本発明の他態様として、前記滑り止め部は、前記ベースの第一面に貼り合わされるシート状の基部をさらに備え、前記複数の凸部は、前記基部と一体的に成形されてもよい。
【００１８】
このようにすれば、凸部が摩耗したときに、全体を交換することなく滑り止め部のみを交換するだけでよい。
【発明の効果】
【００１９】
以上のように、本発明は、移送部に隣接するエリアを横切る歩行者の歩行を妨げることを抑制しつつ、利用者が移送部を利用するときの滑り止め機能を確保することができるという優れた効果を奏し得る。
【図面の簡単な説明】
【００２０】
【図１】図１は、本発明の一実施形態に係るフロアプレートを設置した状態の状態図である。
【図２】図２は、同実施形態に係るフロアプレートの断面図である。
【図３】図３は、同実施形態に係るフロアプレートの平面図である。
【発明を実施するための形態】
【００２１】
以下、本発明の一実施形態に係るフロアプレートについて、添付図面を参照しつつ説明する。
【００２２】
図１に示す如く、本実施形態に係るフロアプレート１は、エスカレータＥのステップ（移送部）Ｓに乗るエリア、及びエスカレータＥのステップＳから降りるエリアのそれぞれに設置される。エスカレータＥは、一般的にステップＳに乗るエリア及びステップＳから降りるエリアの下方に配置された駆動装置等の機器を有する。これに伴い、本実施形態に係るフロアプレート１は、駆動装置等の機器の配置される領域を覆うカバーとしても機能する。
【００２３】
本実施形態に係るフロアプレート１は、図２に示す如く、エスカレータＥのステップＳに乗るエリア、又はエスカレータＥのステップＳから降りるエリアに設置されるプレート状のベース２であって、前記エリアに設置された状態で上側に向く第一面と該第一面の反対側の第二面とを第一方向に有するとともに、前記エリアに設置された状態で移送部Ｓ側に配置される第一端及び第一端の反対側の第二端とを第一方向と直交する第二方向に有するベース２と、ベース２の第一面の全域又は略全域に配置される滑り止め部３とを備える。
【００２４】
ベース２は、剛性を有し、エスカレータＥの利用者を支持するフレームとして機能する。
【００２５】
滑り止め部３は、靴底との摩擦抵抗により、エスカレータＥの利用者や歩行者の歩行中の滑りを防止する。本実施形態において、ベース２における第二端側の領域上にある滑り止め部３の摩擦抵抗は、ベース２における第二端側の領域よりも第一端側にある領域上にある滑り止め部３の摩擦抵抗よりも小さく設定される。
【００２６】
具体的には、滑り止め部３は、ベース２の第一面上に配置された複数の凸部３０であって、それぞれが上側に向く上端面３００を有する複数の凸部３０を有する。本実施形態に係る滑り止め部３は、ベース２の第一面に貼り合わされるシート状の基部３１を備え、複数の凸部３０は、基部３１と一体的に成形される。
【００２７】
本実施形態において、滑り止め部３は、透明な樹脂（例えば、オレフィン樹脂）により成型されている。これにより、滑り止め部３は、例えば、ベース２の第一面に施された模様や情報（例えば、建物の階層に関する情報）の印刷等を視認できるようになっている。
【００２８】
本実施形態において、ベース２における第二端側の領域上の単位領域内にある複数の凸部３０の上端面３００の総面積が、ベース２における第二端側の領域よりも第一端側にある領域上の単位領域内にある複数の凸部３０の上端面３００の総面積よりも小さく設定される。ここで「単位領域」とは、平均サイズの靴底が収まる領域を意味する。従って、靴の平均サイズが２６ｃｍであれば、このサイズの靴が収まる方形領域を意味する。なお、「単位領域」は、基準となるサイズの仮想の領域であり、その位置は限定されない。
【００２９】
具体的に説明すると、滑り止め部３は、第二方向において四つの領域に区画されている。なお、便宜上、以下の説明において、四つの領域を、エスカレータＥのステップＳに近い側から、第一領域Ａ１、第二領域Ａ２、第三領域Ａ３、第四領域Ａ４ということとする。
【００３０】
第一領域Ａ１、第二領域Ａ２、第三領域Ａ３、及び第四領域Ａ４のそれぞれには、複数の凸部３０が設けられている。第一領域Ａ１、第二領域Ａ２、第三領域Ａ３、及び第四領域Ａ４のそれぞれにある複数の凸部３０の突出量（基部３１を基準とした高さ）は、同一又は略同一に設定される。なお、本実施形態において、第一領域Ａ１、第二領域Ａ２、第三領域Ａ３、及び第四領域Ａ４のそれぞれにある複数の凸部３０の上端面３００は平面状に形成される。
【００３１】
そして、図３に示す如く、第四領域Ａ４の単位領域内にある複数の凸部３０の上端面３００（上方に向く面）の総面積（合計面積）は、第四領域Ａ４と隣り合う第三領域Ａ３の単位領域内にある複数の凸部３０の上端面３００（上方に向く面）の総面積（合計面積）よりも小さく、第三領域Ａ３の単位領域内にある複数の凸部３０の上端面３００（上方に向く面）の総面積（合計面積）は、第三領域Ａ３と隣り合う第二領域Ａ２の単位領域内にある複数の凸部３０の上端面３００（上方に向く面）の総面積（合計面積）よりも小さく設定される。また、第二領域Ａ２の単位領域内にある複数の凸部３０の上端面３００（上方に向く面）の総面積（合計面積）は、第二領域Ａ２と隣り合う第一領域Ａ１の単位領域内にある複数の凸部３０の上端面３００（上方に向く面）の総面積（合計面積）よりも小さく設定される。
【００３２】
すなわち、第一領域Ａ１の単位領域内にある複数の凸部３０の上端面３００（上方に向く面）の総面積（合計面積）は、第一領域Ａ１と隣り合う第二領域Ａ２の単位領域内にある複数の凸部３０の上端面３００（上方に向く面）の総面積（合計面積）よりも大きく、第二領域Ａ２の単位領域内にある複数の凸部３０の上端面３００（上方に向く面）の総面積（合計面積）は、第二領域Ａ２と隣り合う第三領域Ａ３の単位領域内にある複数の凸部３０の上端面３００（上方に向く面）の総面積（合計面積）よりも大きく設定される。また、第三領域Ａ３の単位領域内にある複数の凸部３０の上端面３００（上方に向く面）の総面積（合計面積）は、第三領域Ａ３と隣り合う第四領域Ａ４の単位領域内にある複数の凸部３０の上端面３００（上方に向く面）の総面積（合計面積）よりも大きく設定される。
【００３３】
本実施形態において、第一領域Ａ１の単位領域内にある凸部３０の数は、第一領域Ａ１と隣り合う第二領域Ａ２の単位領域内にある凸部３０の数よりも少なく、第二領域Ａ２の単位領域内にある凸部３０の数は、第二領域Ａ２と隣り合う第三領域Ａ３の単位領域内にある凸部３０の数よりも少なく、第三領域Ａ３の単位領域内にある凸部３０の数は、第三領域Ａ３と隣り合う第四領域Ａ４の単位領域内にある凸部３０の数よりも少なく設定されている。
【００３４】
これに伴い、本実施形態においては、ベース２における第二端側の領域上にある複数の凸部３０の上端面３００の総面積が、ベース２における第二端側の領域よりも第一端側にある領域上に配置された複数の凸部３０の上端面３００の総面積よりも小さくなる関係を保つために、第一領域Ａ１にある単一の凸部３０の上端面３００（上方に向く面）の平面積は、第一領域Ａ１と隣り合う第二領域Ａ２にある単一の凸部３０の上端面３００（上方に向く面）の平面積よりも大きく設定される。第二領域Ａ２にある単一の凸部３０の上端面３００（上方に向く面）の平面積は、第二領域Ａ２と隣り合う第三領域Ａ３にある単一の凸部３０の上端面３００（上方に向く面）の平面積よりも大きく設定される。第三領域Ａ３にある単一の凸部３０の上端面３００（上方に向く面）の平面積は、第三領域Ａ３と隣り合う第四領域Ａ４にある単一の凸部３０の上端面３００（上方に向く面）の平面積よりも大きく設定される。
【００３５】
これにより、隣り合う二つの領域Ａ１，Ａ２，Ａ３，Ａ４にある滑り止め部３において、ベース２の第二端側にある領域上の滑り止め部３の摩擦抵抗が、ベース２の第一端側にある領域上の滑り止め部３の摩擦抵抗よりも小さくなる関係にある。
【００３６】
以上のように、本実施形態に係るフロアプレート１は、利用者が移送部Ｓに乗るエリア、或いは、利用者が移送部Ｓから降りるエリアに設置されるプレート状のベース２であって、前記エリアに設置された状態で上側に向く第一面と該第一面の反対側の第二面とを第一方向に有するとともに、前記エリアに設置された状態で移送部Ｓ側に配置される第一端及び第一端の反対側の第二端とを第一方向と直交する第二方向に有するベース２と、ベース２の第一面の全域又は略全域に配置される滑り止め部３とを備え、ベース２における第二端側の領域上にある滑り止め部３の摩擦抵抗がベース２における第二端側の領域よりも第一端側にある領域上にある滑り止め部３の摩擦抵抗よりも小さくされる。
【００３７】
このようにすれば、ベース２が移送部Ｓに利用者が乗り降りするエリア、又は、利用者が移送部Ｓに乗るエリア、或いは、利用者が移送部Ｓから降りるエリアに設置されることで、ベース２の第一面の全域又は略全域に配置された滑り止め部３が移送部Ｓに並ぶように配置される。従って、移送部Ｓに対して乗ったり降りたりする利用者が滑り止め部３上を第二方向に歩行可能となり、移送部Ｓを利用しない人（移送部Ｓに乗ったり降りたりするエリアを横切る人）が滑り止め上を第一方向及び第二方向と直交する第三方向に歩行可能となる。
【００３８】
そして、ベース２における第二端側の領域上にある滑り止め部３の摩擦抵抗がベース２における第二端側の領域よりも第一端側にある領域上にある滑り止め部３の摩擦抵抗よりも小さいため、上記構成のフロアプレート１は、移送部Ｓに隣接するエリアを横切る人の歩行を妨げることなく、移送部Ｓに対して乗ったり降りたりする利用者に対する安全を確保するための滑り止め効果を発揮する。
【００３９】
具体的に説明すると、移送部Ｓに隣接するエリアを横切る人は、比較的、移送部Ｓから離れた位置を歩行することが多い。従って、移送部Ｓに隣接するエリアを横切る人は、ベース２における第一端よりも第二端側の領域上にある滑り止め部３（摩擦抵抗の小さな滑り止め部３）上を歩行する。
【００４０】
従って、歩行者は、歩行時における抵抗の変化を大きく感じることがなく、円滑に歩行することができる。その一方で、移送部Ｓに乗ったり降りたりする利用者は、移送部Ｓに近い位置に足を置くが、ベース２の第一端側の領域上にある滑り止め部３の摩擦抵抗は、ベース２の第二端側の領域上にある滑り止め部３の摩擦抵抗よりも大きいため、足を滑らせることなく、移送部Ｓに対して乗ったり降りたりすることができる。
【００４１】
また、本実施形態において、滑り止め部３は、ベース２の第一面上に配置された複数の凸部３０であって、それぞれが上側に向く上端面３００を有する複数の凸部３０を有し、ベース２における第二端側の領域上の単位領域内にある複数の凸部３０の上端面３００の総面積が、ベース２における第二端側の領域よりも第一端側にある領域上の単位領域内にある複数の凸部３０の上端面３００の総面積よりも小さく設定される。
【００４２】
このようにすれば、ベース２における第二端側の領域上にある滑り止め部３の歩行者の靴底に対する接触面積がベース２における第一端側の領域上にある滑り止め部３の歩行者の靴底に対する接触面積よりも小さくなる。滑り止め部３（凸部３０）と靴底との接触面積は、摩擦抵抗の大きさと対応するため、ベース２における第二端側の領域上にある滑り止め部３の摩擦抵抗をベース２における第二端側の領域よりも第一端側にある領域上にある滑り止め部３の摩擦抵抗よりも小さくすることができる。
【００４３】
また、滑り止め部３は、ベース２の第一面に貼り合わされるシート状の基部３１をさらに備え、前記複数の凸部３０は、基部３１と一体的に成形される。
【００４４】
このようにすれば、凸部３０が摩耗したときに、全体を交換することなく滑り止め部３のみを交換するだけでよい。
【００４５】
なお、本発明は、上記実施形態に限定されるものではなく、本発明の要旨を逸脱しない範囲で変更を銜え得ることは勿論のことである。
【００４６】
上記実施形態において、利用者を異なる階層に移送するエスカレータＥを対象に説明したが、これに限定されない。例えば、利用者を異なる位置に平面的に移送する移動歩道であってもよい。
【００４７】
また、上記実施形態において、エスカレータＥを対象に説明したが、これに限定されない。すなわち、上記実施形態において、フロアプレート１は、利用者が移送部Ｓ（ステップＳ）に乗るエリア、又は、利用者が移送部Ｓ（ステップＳ）から降りるエリアに設置されたが、これに限定されない。例えば、フロアプレート１は、エレベータと対象に、利用者を異なる階層に移送する移送部としてのかごに利用者が乗り降りするエリアに設置されてもよい。
【００４８】
上記実施形態において、滑り止め部３が複数の凸部３０を有し、ベース２における第二端側の領域上の単位領域内にある複数の凸部３０の上端面３００の総面積が、ベース２における第二端側の領域よりも第一端側にある領域上の単位領域内にある複数の凸部３０の上端面３００の総面積よりも小さく設定されることで、ベース２における第二端側の領域上にある滑り止め部３の摩擦抵抗をベース２における第二端側の領域よりも第一端側にある領域上にある滑り止め部３の摩擦抵抗よりも小さくしたが、これに限定されない。
【００４９】
例えば、滑り止め部３全体が弾性変形可能な素材でシート状に成形されることを前提に、ベース２における第二端側の領域上にある滑り止め部３がベース２における第二端側の領域よりも第一端側にある領域上にある滑り止め部３よりも弾性変形しにくくしてもよい。このように滑り止め部３全体が弾性変形可能な素材でシート状に成形されることで、利用者や歩行者が歩行する際、滑り止め部３は接触する靴底に沿って弾性変形する。
【００５０】
従って、滑り止め部３と靴底との接触面積が周囲の床等との接触面積よりも多くなる結果、摩擦抵抗が大きくなり、滑り止め効果を発揮する。そして、ベース２における第二端側の領域上にある滑り止め部３がベース２における第二端側の領域よりも第一端側にある領域上にある滑り止め部３よりも弾性変形しにくくされることで、ベース２における第二端側の領域上にある滑り止め部３と靴底との接触面積が、ベース２における第一端側の領域上にある滑り止め部３との靴底との接触面積よりも小さくなる。靴底との接触面積の大きさは、摩擦抵抗と対応関係にあるため、上記実施形態と同様の効果を奏し得る。
【００５１】
上記実施形態において、滑り止め部３が第二方向において四つの領域に区画され、この四つの領域で摩擦抵抗を異ならせたが、これに限定されない。例えば、滑り止め部３は、第二方向において二つの領域に区画されてもよいし、三つの領域に区画されてもよい。また、滑り止め部３は、第二方向において五つ以上の領域に区画されてもよい。
【００５２】
これらの場合の何れにおいても、隣り合う二つの領域Ａ１，Ａ２，Ａ３，Ａ４にある滑り止め部３において、ベース２の第二端側にある領域上の滑り止め部３の摩擦抵抗が、ベース２の第一端側にある領域上の滑り止め部３の摩擦抵抗よりも小さくなる関係があることは勿論のことである。
【００５３】
上記実施形態において、滑り止め部３がベース２に対して別体で構成されたが、これに限定されない。例えば、滑り止め部３が複数の凸部３０で構成されることを前提に、滑り止め部３（複数の凸部３０）がベース２と一体的にされてもよい。
【００５４】
上記実施形態において、特に言及しなかったが、ベース２が剛性を有するとともに、滑り止め部３が透明或いは光透過性を有することを前提に、ベース２が店舗情報等を表示する表示照明等を具備してもよい。このようにすれば、滑り止め部３を介して情報を視認することができる。
【符号の説明】
【００５５】
１…フロアプレート、２…ベース、３…滑り止め部、３０…凸部、３１…基部、３００…上端面、Ａ１…第一領域（領域）、Ａ２…第二領域（領域）、Ａ３…第三領域（領域）、Ａ４…第四領域（領域）、Ｅ…エスカレータ、Ｓ…ステップ（移送部）
【図１】
0006587151.tif 000002
【図２】
0006587151.tif 000003
【図３】
0006587151.tif 000004